(57)【要約】【課題】タイマで時間を計測して、主走査起動開始時間に到達したところで主走査の起動を行うと、余裕を持たせてタイマ値を設定しなければならず、印刷速度が遅くなる。【解決手段】先行スキャンにおける画像領域２０１の印字が終了したタイミングで、副走査駆動を開始し、次の副走査位置までの用紙１０の搬送を開始して所定搬送量Ａだけ搬送し、所定搬送量Ａだけ搬送した位置で副走査駆動を終了し、副走査の駆動開始から次の主走査におけるキャリッジ３の移動開始までの副走査駆動量Ａを算出し、次の主走査におけるキャリッジ３の移動開始から記録ヘッド４による印字開始までの時間Ｘ［ｍｓ］を算出し、副走査終了位置から時間Ｘ［ｍｓ］前の距離Ｂ［ｍｍ］し、副走査駆動を開始してから用紙１０を（Ａ−Ｂ）［ｍｍ］搬送したタイミングで次スキャンの主走査を開始する。【選択図】図４
2012171264.tif 000002
【特許請求の範囲】
【請求項１】
画像を形成する画像形成手段が搭載され、主走査方向に移動されるキャリッジと、
被記録媒体を主走査方向と直交する副走査方向に搬送する搬送手段と、
前記キャリッジの主走査方向への移動と、前記搬送手段による前記被記録媒体の副走査方向への移動を制御する制御手段と、を備え、
前記制御手段は、
次の主走査における前記キャリッジの移動開始から前記画像形成手段による印字開始までの時間を算出する時間算出手段と、
先行の主走査における前記画像形成手段による印字終了時から次の副走査位置までの前記被記録媒体の搬送を開始して所定搬送量だけ前記被記録媒体を搬送させる手段と、
前記次の副走査位置への前記被記録媒体の搬送が停止する時より前記時間算出手段で算出された時間前までに搬送される前記被記録媒体の搬送距離を算出する距離算出手段と、
前記次の副走査位置への前記被記録媒体の搬送を開始した時から前記距離算出手段で算出された搬送距離分前記被記録媒体の搬送が行われた時に、次の主走査における前記キャリッジの移動を開始させる手段と、を備えている
ことを特徴とする画像形成装置。
【請求項２】
前記被記録媒体の所定搬送量が前記被記録媒体の搬送距離よりも短いときには、先行する主走査における前記キャリッジの移動が終了したときに次の主走査における前記キャリッジの移動を開始させることを特徴とする請求項１に記載の画像形成装置。
【請求項３】
次の主走査における前記キャリッジの移動開始後印字開始前には印字時の速度よりも速い速度で前記キャリッジを移動させることを特徴とする請求項２に記載の画像形成装置。
【請求項４】
先行の主走査における印字終了後次の主走査における前記キャリッジの移動開始前には印字時の速度よりも速い速度で前記キャリッジを移動させることを特徴とする請求項２に記載の画像形成装置。
【発明の詳細な説明】
【技術分野】
【０００１】
本発明は画像形成装置に関し、特に画像形成手段を搭載したキャリッジを有する画像形成装置に関する。
【背景技術】
【０００２】
プリンタ、ファクシミリ、複写装置、プロッタ、これらの複合機等の画像形成装置として、例えばインク液滴を吐出する液体吐出ヘッド（液滴吐出ヘッド）からなる記録ヘッドを用いた液体吐出記録方式の画像形成装置としてインクジェット記録装置などが知られている。この液体吐出記録方式の画像形成装置は、記録ヘッドからインク滴を、搬送される用紙（紙に限定するものではなく、ＯＨＰなどを含み、インク滴、その他の液体などが付着可能なものの意味であり、被記録媒体あるいは記録媒体、記録紙、記録用紙などとも称される。）に対して吐出して、画像形成（記録、印字、印写、印刷も同義語で使用する。）を行なうものであり、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００３】
なお、本願において、液体吐出記録方式の「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。また、「画像」とは平面的なものに限らず、立体的に形成されたものに付与された画像、また立体自体を３次元的に造形して形成された像も含まれる。なお、以下では液滴を吐出する液体吐出ヘッドを画像形成手段（以下「記録ヘッド」という。）として備えるもので説明するが、画像形成手段は液体吐出ヘッドに限るものではない。
【０００４】
シリアル型画像形成装置においては、記録ヘッドを搭載したキャリッジを主走査方向に移動走査し、被記録媒体である用紙を間歇的に搬送することで、用紙上に画像を形成する。このようなシリアル型画像形成装置では、キャリッジを主走査方向に移動して印字区間（キャリッジの駆動開始から駆動停止までの区間）の画像領域（印字区間の内の記録ヘッドから液滴を吐出して画像を形成する区間）の画像形成が終了した後、次の画像データが決定されて、かつ、副走査の改行幅（用紙搬送量）が決定する場合、副走査を起動（用紙搬送を開始）して、次の印字行に改行する。
【０００５】
この場合、副走査を起動する前に、計算式に基づき主走査の起動タイミングを算出しておき、副走査の起動後、タイマで時間を計測して、主走査起動開始時間に到達したときに主走査の起動（キャリッジの駆動）を開始するものが知られている（特許文献１）。
【先行技術文献】
【特許文献】
【０００６】
【特許文献１】特開２００４−２０２７１３号公報
【発明の概要】
【発明が解決しようとする課題】
【０００７】
しかしながら、特許文献１に開示されているように、タイマで時間を計測して、主走査起動開始時間に到達したところで主走査の起動を行う構成にあっては、タイマの精度によっては目標通りのタイミングで主走査の起動を開始できないため、余裕を持たせてタイマ値を設定しなければならず、理想的な起動タイミングに対し遅れが生じ、印刷速度が理論値より遅くなるという課題がある。
【０００８】
本発明は上記の課題に鑑みてなされたものであり、タイマによる計測を不要とし、印刷速度の向上を図ることを目的とする。
【課題を解決するための手段】
【０００９】
上記の課題を解決するため、本発明に係る画像形成装置は、
画像を形成する画像形成手段が搭載され、主走査方向に移動されるキャリッジと、
被記録媒体を主走査方向と直交する副走査方向に搬送する搬送手段と、
前記キャリッジの主走査方向への移動と、前記搬送手段による前記被記録媒体の副走査方向への移動を制御する制御手段と、を備え、
前記制御手段は、
次の主走査における前記キャリッジの移動開始から前記画像形成手段による印字開始までの時間を算出する時間算出手段と、
先行の主走査における前記画像形成手段による印字終了時から次の副走査位置までの前記被記録媒体の搬送を開始して所定搬送量だけ前記被記録媒体を搬送させる手段と、
前記次の副走査位置への前記被記録媒体の搬送が停止する時より前記時間算出手段で算出された時間前までに搬送される前記被記録媒体の搬送距離を算出する距離算出手段と、
前記次の副走査位置への前記被記録媒体の搬送を開始した時から前記距離算出手段で算出された搬送距離分前記被記録媒体の搬送が行われた時に、次の主走査における前記キャリッジの移動を開始させる手段と、を備えている
構成とした。
【００１０】
ここで、前記被記録媒体の所定搬送量が前記被記録媒体の搬送距離よりも短いときには、先行する主走査における前記キャリッジの移動が終了したときに次の主走査における前記キャリッジの移動を開始させる構成とできる。
【００１１】
また、次の主走査における前記キャリッジの移動開始後印字開始前には印字時の速度よりも速い速度で前記キャリッジを移動させる構成とできる。
【００１２】
また、先行の主走査における印字終了後次の主走査における前記キャリッジの移動開始前には印字時の速度よりも速い速度で前記キャリッジを移動させる構成とできる。
【発明の効果】
【００１３】
本発明に係る画像形成装置によれば、次の主走査におけるキャリッジの移動開始から画像形成手段による印字開始までの時間を算出する時間算出手段と、先行の主走査における画像形成手段による印字終了時から次の副走査位置までの被記録媒体の搬送を開始して所定搬送量だけ被記録媒体を搬送させる手段と、次の副走査位置への被記録媒体の搬送が停止する時より時間算出手段で算出された時間前までに搬送される被記録媒体の搬送距離を算出する距離算出手段と、次の副走査位置への被記録媒体の搬送を開始した時から距離算出手段で算出された搬送距離分被記録媒体の搬送が行われた時に、次の主走査におけるキャリッジの移動を開始させる手段と、を備えている構成としたので、タイマによる計測が不要となり、タイマ精度分余分に待ち時間を持たせる必要がなくなり、印刷速度を向上させることができる。
【図面の簡単な説明】
【００１４】
【図１】本発明に係る画像形成装置の機構部の要部平面説明図である。
【図２】同機構部の要部正面説明図である。
【図３】同装置の制御部の概要を示すブロック説明図である。
【図４】本発明の第１実施形態における主走査及び副走査の駆動タイミングを説明する説明図である。
【図５】本発明の第２実施形態における主走査及び副走査の駆動タイミングを説明する説明図である。
【図６】同実施形態の適用が必要な例の説明図である。
【図７】本発明の第３実施形態における主走査及び副走査の駆動タイミングを説明する説明図である。
【図８】本発明の第４実施形態における主走査及び副走査の駆動タイミングを説明する説明図である。
【図９】同実施形態の適用が必要な例の説明図である。
【図１０】図９の例に前記第１実施形態を適用した場合の主走査及び副走査の駆動タイミングを説明する説明図である。
【発明を実施するための形態】
【００１５】
以下、本発明の実施の形態について添付図面を参照して説明する。本発明を適用した画像形成装置の一例について図１及び図２を参照して説明する。なお、図１は同画像形成装置の機構部の要部平面説明図、図２は同機構部の要部正面説明図である。 
【００１６】
この画像形成装置は、シリアル型画像形成装置であり、左右の側板１００Ｌ，１００Ｒ間に横架した主ガイドロッド１及び図示しない従ガイド部材でキャリッジ３を摺動自在に保持し、主走査モータ５によって、駆動プーリ６と従動プーリ７間に渡したタイミングベルト８を介して主走査方向に移動走査する。
【００１７】
キャリッジ３には、イエロー（Ｙ）、マゼンタ（Ｍ）、シアン（Ｃ）、ブラック（Ｋ）の各色のインク滴を吐出するための液体吐出ヘッドからなる記録ヘッド４ｙ、４ｍ、４ｃ、４ｋ（区別しないときは「記録ヘッド４」という。）を複数のノズルからなるノズル列を主走査方向と直交する副走査方向に配列し、インク滴吐出方向を下方に向けて装着している。
【００１８】
記録ヘッド４を構成する液体吐出ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するための圧力を発生する圧力発生手段として備えたものなどを使用できる。
【００１９】
一方、用紙を搬送するために、用紙を静電吸着して記録ヘッド４に対向する位置で搬送するための搬送手段である搬送ベルト１２を備えている。この搬送ベルト１２は、無端状ベルトであり、搬送ローラ1３とテンションローラ１４との間に掛け渡されて、ベルト搬送方向（副走査方向）に周回するように構成し、周回移動しながら帯電ローラ１５によって帯電（電荷付与）される。
【００２０】
また、搬送ベルト１２は、副走査モータ１６によってタイミングベルト１７及びタイミングプーリ１８を介して搬送ローラ１３が回転駆動されることによって、副走査方向に周回移動する。
【００２１】
さらに、キャリッジ３の主走査方向の一方側には搬送ベルト１２の側方に記録ヘッド４の維持回復を行う維持回復機構２０が配置され、他方側には搬送ベルト１２の側方に記録ヘッド４から空吐出を行う空吐出受け２１がそれぞれ配置されている。
【００２２】
なお、維持回復機構２０は、例えば記録ヘッド４のノズル面（ノズルが形成された面）をキャッピングする４個のキャップ部材３１、ノズル面を払拭するワイパ部材３２、画像形成に寄与しない液滴（空吐出滴）を受ける空吐出受け３３などで構成されている。
【００２３】
また、キャリッジ３の主走査方向に沿って両側板間に、所定のパターン（位置識別部、目盛り、スリットなどともいう。以下「スリット」という。）を形成したエンコーダスケール２３を張装し、キャリッジ２３にはエンコーダスケール２３のスリットを読取る透過型フォトセンサからなるエンコーダセンサ２４を設け、これらのエンコーダスケール２３とエンコーダセンサ２４によってキャリッジ２３の移動を検知するリニアエンコーダ（主走査エンコーダ）２７を構成している。
【００２４】
また、搬送ローラ１３の軸には高分解能のエンコーダスケール（コードホイール）２５を取り付け、このエンコーダスケール２５に形成したパターン（スリット）を検出する透過型フォトセンサからなるエンコーダセンサ２６を設けて、これらのエンコーダスケール２５とエンコーダセンサ２６によって搬送ベルト１２の移動量及び移動位置を検出するロータリエンコーダ（副走査エンコーダ）２８を構成している。
【００２５】
このように構成したこの画像形成装置においては、図示しない給紙トレイから用紙１０が帯電された搬送ベルト１２上に給紙されて吸着され、搬送ベルト１２の周回移動によって用紙１０が副走査方向に搬送される。そこで、キャリッジ３を主走査方向に移動させながら画像信号に応じて記録ヘッド４を駆動することにより、停止している用紙１０にインク滴を吐出して１行分を記録し、用紙１０を所定量搬送後、次の行の記録を行う。記録終了信号又は用紙１０の後端が記録領域に到達した信号を受けることにより、記録動作を終了して、用紙１０を排紙トレイ１０３に排紙する。
【００２６】
次に、この画像形成装置の制御部の概要について図４を参照して説明する。なお、同図は同制御部のブロック説明図である。
この制御部５００は、この装置全体の制御を司るＣＰＵ５０１と、ＣＰＵ５０１に本発明に係るキャリッジ移動、用紙搬送に係わる制御（処理）を実行させるプログラムを含む各種プログラム、その他の固定データを格納するＲＯＭ５０２と、画像データ等を一時格納するＲＡＭ５０３と、装置の電源が遮断されている間もデータを保持するための書き換え可能な不揮発性メモリ５０４と、画像データに対する各種信号処理、並び替え等を行う画像処理やその他装置全体を制御するための入出力信号を処理するＡＳＩＣ５０５などを備えている。
【００２７】
また、記録ヘッド４を駆動制御するためのデータ転送手段、駆動信号発生手段を含む印刷制御部５０８と、キャリッジ３側に設けた記録ヘッド４を駆動するためのヘッドドライバ（ドライバＩＣ）５０９と、キャリッジ３を移動走査する主走査モータ５、搬送ベルト１２を周回移動させる副走査モータ１６を駆動するためのモータ駆動部５１０と、帯電ローラ１５にＡＣバイアスを供給するＡＣバイアス供給部５１２などを備えている。
【００２８】
また、Ｉ／Ｏ部５１３は、主走査エンコーダ２７のエンコーダセンサ２４、副走査エンコーダ２８のエンコーダセンサ２６、装置に装着されている各種のセンサ群５１５からの情報を取得し、プリンタの制御に必要な情報を抽出し、印刷制御部５０８やモータ駆動部５１０、ＡＣバイアス供給部５１１の制御に使用する。センサ群５１５は、用紙の位置を検出するための光学センサや、機内の温度、湿度を監視するためのサーミスタ、帯電ベルトの電圧を監視するセンサ、カバーの開閉を検出するためのインターロックスイッチなどがあり、Ｉ／Ｏ部５１３は様々のセンサ情報を処理することができる。
【００２９】
ここで、ＣＰＵ５０１は、主走査エンコーダ２７を構成するエンコーダセンサ２４からの検出パルスをサンプリングして得られる速度検出値及び位置検出値と、予め格納した速度・位置プロファイルから得られる速度目標値及び位置目標値とに基づいて主走査モータ５に対する駆動出力値（制御値）を算出してモータ駆動部２１０を介して主走査モータ５を駆動する。同様に、副走査エンコーダ２８を構成するエンコーダセンサ２５からの検出パルスをサンプリングして得られる速度検出値及び位置検出値と、予め格納した速度・位置プロファイルから得られる速度目標値及び位置目標値とに基づいて副走査モータ１６対する駆動出力値（制御値）を算出してモータ駆動部２１１を介して副走査モータ１６を駆動する。
【００３０】
また、この制御部５００には、この装置に必要な情報の入力及び表示を行うための操作パネル５１４が接続されている。さらに、この制御部５００には、現在時刻（年月日時刻）を計時する計時手段であるリアルタイムクロック（ＲＴＣ）５２０を備えている。
【００３１】
この制御部５００は、ホスト側とのデータ、信号の送受を行うためのＩ／Ｆ５０６を持っていて、パーソナルコンピュータ等の情報処理装置、イメージスキャナなどの画像読み取り装置、デジタルカメラなどの撮像装置などのホスト６００側から、ケーブル或いはネットワークを介してＩ／Ｆ５０６で受信する。
【００３２】
そして、制御部５００のＣＰＵ５０１は、Ｉ／Ｆ５０６に含まれる受信バッファ内の印刷データを読み出して解析し、ＡＳＩＣ５０５にて必要な画像処理、データの並び替え処理等を行い、この画像データを印刷制御部５０８からヘッドドライバ５０９に転送する。なお、画像出力するためのドットパターンデータの生成はホスト６００側のプリンタドライバ６０１で行っている。
【００３３】
印刷制御部５０８は、上述した画像データをシリアルデータで転送するとともに、この画像データの転送及び転送の確定などに必要な転送クロックやラッチ信号、制御信号などをヘッドドライバ５０９に出力する以外にも、ＲＯＭに格納されている駆動パルスのパターンデータをＤ／Ａ変換するＤ／Ａ変換器及び電圧増幅器、電流増幅器等で構成される駆動信号生成部を含み、１の駆動パルス或いは複数の駆動パルスで構成される駆動信号をヘッドドライバ５０９に対して出力する。
【００３４】
ヘッドドライバ５０９は、シリアルに入力される記録ヘッド４の１行分に相当する画像データに基づいて印刷制御部５０８から与えられる駆動信号を構成する駆動パルスを選択的に記録ヘッド４の液滴を吐出させるエネルギーを発生する駆動素子（例えば圧電素子）に対して印加することで記録ヘッド２４を駆動する。このとき、駆動信号を構成する駆動パルスを選択することによって、例えば、大滴、中滴、小滴など滴量の異なる液滴を吐出させて大きさの異なるドットを打ち分けることができる。
【００３５】
また、ＣＰＵ５０１は、ＲＯＭ５０２に格納されたプログラムによって、各部を制御して、次の主走査におけるキャリッジの移動開始から画像形成手段による印字開始までの時間を算出する時間算出処理と、先行の主走査における画像形成手段による印字終了時から次の副走査位置までの被記録媒体の搬送を開始して所定搬送量だけ被記録媒体を搬送させる処理と、次の副走査位置への被記録媒体の搬送が停止する時より時間算出手段で算出された時間前までに搬送される被記録媒体の搬送距離を算出する距離算出処理と、次の副走査位置への被記録媒体の搬送を開始した時から距離算出手段で算出された搬送距離分被記録媒体の搬送が行われた時に、次の主走査におけるキャリッジの移動を開始させる処理とを行う。
【００３６】
次に、本発明の第１実施形態について図４を参照して説明する。なお、図４は同実施形態における主走査及び副走査の駆動タイミングを説明する説明図である。図４中、横軸は時間、縦軸は主走査ではキャリッジ速度、副走査では用紙搬送速度を表している（以下の図でも同じ）。
まず、先行スキャン（先行する主走査）における画像領域２０１の印字が終了したタイミングで、副走査駆動を開始し、次の副走査位置までの用紙１０の搬送を開始して所定搬送量Ａだけ搬送し、所定搬送量Ａだけ搬送した位置で副走査駆動を終了する。
【００３７】
このとき、副走査の駆動開始から次の主走査におけるキャリッジ３の移動開始（次スキャン主走査駆動開始）までの副走査駆動量（用紙搬送量：改行量）Ａを算出する。ここで、副走査駆動量は、次の画像書き出し位置までであり、ホスト側から転送された印刷データ算出することができる。
【００３８】
また、次の主走査におけるキャリッジ３の移動開始（次スキャンの主走査駆動開始）から記録ヘッド４による印字開始（次スキャン印字開始）までの時間Ｘ［ｍｓ］を算出する。この時間Ｘ［ｍｓ］は、先行スキャン停止目標位置、次スキャン印字開始位置、主走査加速度、主走査目標速度より、物理法則に基づき算出することができる(なお、ここでいう物理法則とは等加速度運動のこととする。)。
【００３９】
そして、副走査終了位置から時間Ｘ［ｍｓ］前の距離Ｂ［ｍｍ］を算出する。つまり、次の副走査位置への用紙の搬送が停止する時（副走査駆動終了位置）より算出された時間Ｘ前までに搬送される用紙１０の搬送距離Ｂを算出する。このときの時間Ｘ［ｍｓ］に対応する距離Ｂ［ｍｍ］は、副走査の減速度、副走査の目標速度をもとに算出することができる。
【００４０】
以上より、副走査駆動を開始してから用紙１０を（Ａ−Ｂ）［ｍｍ］搬送したタイミングで次スキャンの主走査を開始する。なお、距離（Ａ−Ｂ）［ｍｍ］の搬送を行ったか否かは、副走査エンコーダ２８からの検出パルスをカウントして、距離（Ａ−Ｂ）［ｍｍ］と比較することによって判別することができる。
【００４１】
このようにして、タイマを用いる必要がなく、タイマ精度分余分に待ち時間を持たせる必要がなくなるので、生産性（印刷速度）を向上させることができる。
【００４２】
次に、本発明の第２実施形態について図５及び図６を参照して説明する。なお、図５は同実施形態における主走査及び副走査の駆動タイミングを説明する説明図、図６は同実施形態の適用が必要な例の説明図である。
例えば、図６に示すように、先行スキャンの画像領域２０１が先行スキャンの終了側の領域で、次スキャンの画像領域２０２が次スキャンの終了側の領域である場合、先行スキャン印字終了位置から次スキャン印字開始位置までの距離が長くなる。
【００４３】
そこで、先行スキャン印字終了位置から次スキャン印字開始位置までの距離が長い場合には、図５に示すように、副走査駆動終了のタイミングで次スキャンの印字開始を行おうとすると、先行スキャンの主走査駆動が停止する前に次スキャンの主走査駆動を開始しなければならならず不可能である。
【００４４】
そこで、本実施形態では、先行スキャンの主走査駆動が停止した時に次スキャンの主走査駆動を開始するようにしている。つまり、被記録媒体の所定搬送量が被記録媒体の搬送距離よりも短いときには、先行する主走査におけるキャリッジの移動が終了したときに次の主走査におけるキャリッジの移動を開始させる構成としている。
【００４５】
これにより、次スキャンを実施可能な最短のタイミングで主走査駆動を開始でき、印刷速度の向上を図れる。
【００４６】
次に、本発明の第３実施形態について図７を参照して説明する。なお、図７は同実施形態における主走査及び副走査の駆動タイミングを説明する説明図である。
上記第２実施形態では、先行スキャンの主走査駆動停止後、次スキャンの主走査駆動を開始しているが、副走査の停止と同時に次スキャンの印字を開始できないので待機時間が生じることになる。
【００４７】
そこで、本実施形態では、副走査駆動終了のタイミングで次スキャン印字ができるように、次スキャン主走査駆動開始から印刷開始位置までの主走査速度（キャリッジ速度）を、印刷時（画像形成時）のキャリッジ速度より速くし、次スキャン印字開始までに印刷時の速度まで減速させるようにしている。
【００４８】
このようにすることで、副走査駆動終了のタイミングで次スキャンにおける印字を開始でき、無駄な待ち時間がなくなり、印刷速度を向上させることができる。
【００４９】
次に、本発明の第４実施形態について図８ないし図１０を参照して説明する。なお、図８は同実施形態における主走査及び副走査の駆動タイミングを説明する説明図、図９は同実施形態の適用が必要な例の説明図、図１０は図９の例に前記第１実施形態を適用した場合の主走査及び副走査の駆動タイミングを説明する説明図である。
例えば、図９に示すように、先行スキャンの画像領域２０１が先行スキャンの開始側の領域で、次スキャンの画像領域２０２が次スキャンの開始側の領域である場合、先行スキャン印字終了位置から次スキャンの主走査終了位置までの距離が長くなる。
【００５０】
このように、先行スキャンの印字終了位置から先行スキャンの主走査終了位置までの距離が長い場合にも、図１０に示すように、副走査駆動終了のタイミングで次スキャンの印字を開始できない。
【００５１】
そこで、本実施形態では、図８に示すように、副走査駆動終了のタイミングで次スキャン印字ができるように、先行スキャンにおける印字終了から主走査駆動終了までのキャリッジ速度を印刷時のキャリッジ速度よりも速くし、副走査駆動終了までに次スキャン主走査駆動開始位置を早めている。
【００５２】
このように構成することで、副走査駆動終了のタイミングで次スキャンの印字を開始でき、無駄な待ち時間がなくなって、印刷速度を向上させることができる。
【符号の説明】
【００５３】
１  ガイドロッド
３  キャリッジ
４、４ｋ、４ｃ、４ｍ、４ｙ  記録ヘッド
５  主走査モータ
１６  副走査モータ
２７  主走査エンコーダ
２８  副走査エンコーダ
５００  制御部
【図１】
2012171264.tif 000003
【図２】
2012171264.tif 000004
【図３】
2012171264.tif 000005
【図４】
2012171264.tif 000006
【図５】
2012171264.tif 000007
【図６】
2012171264.tif 000008
【図７】
2012171264.tif 000009
【図８】
2012171264.tif 000010
【図９】
2012171264.tif 000011
【図１０】
2012171264.tif 000012